(57)【特許請求の範囲】
【請求項１】
テレビジョン・インタホン・モニタとテレビジョンカメラを含む入口パネルの間でビデオ信号、オーディオ信号、制御信号およびアラーム信号を含む情報信号を伝送線路により送受信し、入口パネルとテレビジョン・インタホン・モニタの間の伝送線路には電流制御回路によって所定レベルに維持された調整電流をテレビジョン・インタホン・モニタに供給可能とする電流供給手段が含まれ、入口パネルと電流供給手段間の伝送線路並びに電流供給手段とテレビジョン・インタホン・モニタ間の各伝送線路は上記情報信号を伝搬し、電流供給手段とテレビジョン・インタホン・モニタ間の伝送線路はさらに前記電流供給手段からテレビジョン・インタホン・モニタに供給される調整電流を伝搬し、前記テレビジョン・インタホン・モニタには電流供給手段から供給される調整電流により充電され、テレビジョン・インタホン・モニタへ給電し、その動作を可能とする充電式バッテリを含むテレビジョン・モニタ回路を接続し、含んでなるテレビジョン・インタホン・モニタ用給電装置であって、
前記入口パネルには、ビデオ信号、オーディオ信号、制御信号さらにアラーム信号を含む第１の多重化電気情報信号を処理し、伝送線路を介してテレビジョン・インタホン・モニタに出力するとともに、オーディオ信号、制御信号さらにアラーム信号を含む第２の多重化電気情報信号をテレビジョン・インタホン・モニタより受信し、処理するコントローラが含まれ、
前記テレビジョン・インタホン・モニタには、入口パネル側においてアラームを起動する場合に、前記第１の多重化電気情報信号を前記伝送線路を介して入口パネルより受信し、処理し、かつ前記第２の多重化電気情報信号を処理し、伝送線路を介して入口パネルに出力するためのインタホン回路が含まれ、
前記電流供給手段が供給する調整電流は、インタホン回路の消費電流と前記テレビジョン・モニタ回路の充電式バッテリの充電に必要とされる電流の合計に略等しく調整されるものであるテレビジョン・インタホン・モニタ用給電装置。
【請求項２】
請求項１に記載のテレビジョン・インタホン・モニタ用給電装置において、
前記テレビジョン・インタホン・モニタは、前記電流供給手段からテレビジョン・インタホン・モニタへの調整電流の供給が遮断されるとき、前記充電式バッテリから給電し、その動作を可能とするように切り替えることを特徴とするテレビジョン・インタホン・モニタ用給電装置。
【請求項３】
請求項１に記載のテレビジョン・インタホン・モニタ用給電装置でおいて、
前記電流供給手段が入口パネルに含まれ、
前記入口パネルと電流供給手段間の伝送線路は入口パネルの内部接続線であることを特徴とするテレビジョン・インタホン・モニタ用給電装置。
【請求項４】
請求項１に記載のテレビジョン・インタホン・モニタ用給電装置であって、
前記テレビジョン・インタホン・モニタは、少なくとも１つの入口パネルに対して複数備えられ、各テレビジョン・インタホン・モニタと入口パネル間の伝送線路も各テレビジョン・インタホン・モニタに対応して複数備えられて各テレビジョン・インタホン・モニタと入口パネル間の伝送線路には、電流制御回路によって所定レベルに維持された調整電流を対応するテレビジョン・インタホン・モニタに供給可能とする電流供給手段がそれぞれ備えられ、入口パネルと電流供給手段間の伝送線路並びに各電流供給手段と対応するテレビジョン・インタホン・モニタ間の伝送線路は上記情報信号を伝搬し、対応する電流供給手段と対応するテレビジョン・インタホン・モニタ間の伝送線路にはさらに前記電流供給手段からテレビジョン・インタホン・モニタに供給される調整電流を伝搬し、各テレビジョン・インタホン・モニタには対応する電流供給手段から供給される調整電流により充電され、テレビジョン・インタホン・モニタへ給電し、その動作を可能とする充電式バッテリを含むテレビジョン・モニタ回路をそれぞれ接続し、含むこととしてなるテレビジョン・インタホン・モニタ用給電装置。
【請求項５】
請求項４に記載のテレビジョン・インタホン・モニタ用給電装置において、
前記各テレビジョン・インタホン・モニタは、対応する電流供給手段からテレビジョン・インタホン・モニタへの調整電流の供給が遮断されるとき、前記充電式バッテリから給電し、その動作を可能とするように切り替えることを特徴とするテレビジョン・インタホン・モニタ用給電装置。
【請求項６】
請求項４に記載のテレビジョン・インタホン・モニタ用給電装置でおいて、
前記電流供給手段が入口パネルに含まれ、
前記入口パネルと電流供給手段間の伝送線路は入口パネルの内部接続線であることを特徴とするテレビジョン・インタホン・モニタ用給電装置。
【発明の詳細な説明】
【０００１】
【発明の属する技術分野】
本発明は、建物入口と、建物中の個々のアパート（世帯単位に区画された部屋）との間の通信を行うとともに、来訪者の画像をアパートの壁に取付けられたモニタに送信するテレビジョン・インタホン装置に用いるのに好適なテレビジョン・インタホン・モニタ用給電装置に関する。
【０００２】
【従来の技術】
入口監視および通信に用いるテレビジョン・インタホン・モニタは、主にアパート内側の壁に取付けられ、マイクロホンおよびスピーカ線、ビデオ信号用同軸ケーブル、ドア解放線、呼出線、アラーム線などの各種のシステム要素を接続するためのマルチコア・ケーブルを介して結ばれている。マルチエントランスや管理ステーションなどの複雑な装置を設置する場合、常に配線が極めて複雑なものとなり、コストがかかる。
【０００３】
各アパートの壁に取付けられた上記のようなテレビジョン・インタホン・モニタ・ユニットは、モニタ及びインタホンに給電するのに十分な容量を有する個別電源を必要とする。多数のテレビジョン・インタホン・モニタ・ユニットがアパート単位で組み込まれるので、このようなシステムは、多数の電源及びこれらの電源をたくさんのテレビジョン・モニタ・ユニットに接続するため、重い電線などの大規模配線を必要とし、これには手間とコストがかかる。
【０００４】
上記テレビジョン・インタホン・モニタ・ユニットは、中央電源から給電してもよいが、この電源は、大きな電力容量と、各テレビジョン・インタホン・モニタに電力を導くための重い専用規格線を必要とする。信号伝送線路を介して電力を供給するのが有利であるが、テレビジョン・インタホン・モニタ・ユニットを動作させるのに必要な電力の殆どをテレビジョン・モニタ回路が消費し、モニタがランダム動作するため、テレビジョン・インタホン・モニタが消費する電流が一定とならず、従ってテレビジョン・インタホン・モニタに伝送線路を介して電力供給した場合、そこを流れる信号が妨害を受ける。
【０００５】
なお、本出願人は、カメラ伝送線路を介してテレビジョン・カメラに給電するとともに、共通の伝送線路を介してオーディオ信号、識別（ＩＤ）信号および制御信号を伝送する本出願の関連技術に係る発明を、平成９年３月１９日付で行ったところである。
【０００６】
【発明が解決しようとする課題】
本発明の課題は、双方向オーディオ信号、制御信号、アラーム信号、その他の通信信号と共に、入口パネルのテレビジョン・カメラによって生成されるビデオ信号を送信するためテレビジョン・インタホン・モニタと入口ユニットとの間を延びる撚り線（twisted pair）などの安価な伝送線路を介してテレビジョン・インタホン・モニタへの給電を実現することである。
【０００７】
【課題を解決するための手段】
低価格の伝送線路を介してテレビジョン・インタホン・モニタに給電する本発明の装置は、それぞれテレビジョン・カメラを含み、ビデオ信号を含んでいてもよい電気情報信号をそれぞれ処理する単一又は複数の入口パネルと、来訪者と通信するとともに来訪者を監視するための単一又は複数のテレビジョン・インタホン・モニタと、各テレビジョン・インタホン・モニタを入口ユニット或は単一又は複数の入口パネルに直接接続するための単一又は複数の伝送線路と、伝送線路および入口ユニットを介してテレビジョン・インタホン・モニタに給電するための単一又は多数の電源と、から成る。
【０００８】
入口ユニットは、情報信号をテレビジョン・インタホン・モニタに送信する回路と、対応の伝送線路を介してテレビジョン・インタホン・モニタから情報信号を受信する回路を含む。入口ユニットおよびテレビジョン・インタホン・モニタは、入口パネルのいずれかをテレビジョン・インタホン・モニタのいずれかに接続する、或は、１つの入口パネルから別の入口パネル、或は、１つのテレビジョン・インタホン・モニタから別のテレビジョン・インタホン・モニタへ切り換えるスイッチング（切換）回路を介して接続すればよい。
【０００９】
入口ユニットは、入口ユニットと各テレビジョン・インタホン・モニタとの間に双方向で情報信号を送信する対応伝送線路を介してテレビジョン・インタホン・モニタに調整電流を供給する単一又は複数の電流供給手段を含む。
【００１０】
電流供給手段は、オーディオ信号、制御信号およびアラーム信号とともに、テレビジョン・カメラによって生成されたビデオ信号を注入し、伝送線路を介してテレビジョン・インタホン・モニタに混合信号を伝搬する信号分離／注入回路を含む。信号は、伝送線路に注入された際、入口パネルとテレビジョン・インタホン・モニタとの間を伝搬する混合情報信号となる。信号分離／注入回路は、スイッチング回路によって処理された伝送線路からの情報信号を注入若しくは分離するためスイッチング回路に設置すればよく、電流供給手段毎に１個の多数の分離／注入回路を設けてもよい。
【００１１】
また、分離／注入回路は、伝送線路に存在するＤＣ成分から、テレビジョン・インタホン・モニタから伝送線路を介して供給された情報信号を分離し、分離した情報信号を入口ユニットの受信回路に供給する。受信回路は、オーディオ信号、制御信号およびアラーム信号を対応の回路に供給する復号／復調回路で構成されている。
【００１２】
伝送線路を介して各テレビジョン・インタホン・モニタに供給される電力は、調整電流であって、電流供給手段に含まれる電流制御回路によって所定レベルに維持される。この所定電流は、インタホン回路が消費するスタンバイ電流若しくは制御電流と、テレビジョン・インタホン・モニタに接続された充電式バッテリに供給される追加電流との合計である。充電されたバッテリは、モニタ回路の電流ドレーン（current drain）及び／又は電流サージ（current surge）を駆動するのに十分な容量を備えてテレビジョン・モニタ回路を動作させるエネルギを提供する。従って、モニタは、対応の伝送線路を介して伝搬された信号を妨害することなく充電バッテリによって電源投入されて起動する。充電バッテリは、テレビジョン・インタホン・モニタに供給された定電流が遮断若しくはオフされた際にインタホン回路に給電することもできる。
【００１３】
各テレビジョン・インタホン・モニタは、テレビジョン・インタホン・モニタによって生成されたオーディオ信号、制御信号およびアラーム信号を処理し、混合する信号混合回路と、テレビジョン・インタホン・モニタを入口ユニットに接続する伝送線路に情報信号を形成する混合信号を注入する注入回路を更に含む。
【００１４】
各テレビジョン・インタホン・モニタは、入口ユニットによって生成された情報信号からＤＣを分離し、情報信号を信号処理回路に供給するＤＣ分離回路を含む。分離されたＤＣがバッテリ制御回路を介して充電式バッテリに供給される一方、インタホン回路を励起するスタンバイ電流がバッテリ制御回路のスタンバイ出力端子を介して充電バッテリから流れる。代替的に、分離されたＤＣは、電流制御回路を介してインタホン回路に、また、バッテリ制御回路を介して充電式バッテリに供給される。信号処理回路は、更に、検索信号を対応の回路に供給するビデオ、オーディオおよび制御信号検索回路を含む。バッテリ制御回路は、バッテリ極性、充電状態および断路を検査して、バッテリが逆接続された際にバッテリの損傷を防止するため充電電流遮断スイッチを励起させる、或は、バッテリが断路又は放電した際に情報信号流の干渉を防止するためモニタ電流遮断スイッチを励起させる極性検査回路、放電検査回路および断路検査回路で構成される。
【００１５】
本発明のテレビジョン・インタホン・モニタは、入口ドアロックを制御するためのコード及び／又はエレベータを制御するためのコード、或は、廊下および入口の照明を制御するためのコードなどの符号化制御指令で構成される制御信号を生成して供給する制御回路を更に含んでいてもよい。符号化制御指令法は、管理カウンタ又は安全管理人に警告するアラーム信号を含む。符号化制御指令は、テレビジョン・インタホン・モニタを入口パネルのいずれかに接続する、或は、１つの入口パネルから別の入口パネルに切換える、或は、テレビジョン・インタホン・モニタを管理室又は警備室に接続する、或は、公衆電話回線を介して警報メッセージを権威者に転送する自動電話ダイヤル装置を起動するためのスイッチオン制御指令を含んでいてもよい。
【００１６】
符号化制御指令は、高−低又は狭−広パルスで構成される２進又はディジタルコードを使用してもよく、ディジタル電話に用いるデュアルトーン信号を使用してもよく、一定の制御指令に対して特定周波数若しくはパルスカウント、或は、異なるパルスと周波数の混合を使用してもよい。符号化制御は、ＡＭ又はＦＭとされ、オーディオ周波数レンジに組み入れられ、テレビジョン・インタホン・モニタと入口ユニットとの間を伝搬するオーディオ信号と混合される。
【００１７】
また、リンギング（ringing）、モニタのスイッチオン、火災警報の報知、一般警報の報知、廊下の照明のオン−オフ或はエレベータのブロッキングなどの各テレビジョン・インタホン・モニタに関連する個々の機能の制御及び／又はアパート式建物における管理人又は警備員の機能遂行等の他の多くの符号化制御のため、類似若しくは同一の符号化制御信号が入口ユニット又は入口パネルによって生成される。
【００１８】
テレビジョン・カメラによって生成されるビデオ信号は、撚り線などの低価格伝送線路を介して伝搬させるため差動入力（differential signals）に変換され、ディジタルビデオ信号に処理、或は、搬送周波数に変調される。
【００１９】
入口パネル又は入口ユニットとテレビジョン・インタホン・モニタによって生成される制御信号およびアラーム信号並びにオーディオ信号も、差動入力又はディジタル信号に変換され、ビデオ周波数よりも高い又は低い周波数を有する搬送周波数にＡＭ又はＦＭ変調され、テレビジョン・インタホン・モニタと入口ユニットとを接続する伝送線路を介して伝搬される。また、制御信号およびアラーム信号とともにオーディオ信号は圧縮され、垂直ブランキング（帰線消去）周期中にビデオ信号に送り込まれる。
【００２０】
本発明の好適実施例によれば、ビデオ信号、オーディオ信号、アラーム信号および制御信号が、入口パネルとテレビジョン・インタホン・モニタとの間を延びる低コスト伝送線路を介して双方向送信される一方、電流供給手段は、同じ低価格伝送線路を介して調整電流を給送してテレビジョン・インタホン・モニタのインタホン部分を動作させるとともに、テレビジョン・インタホン・モニタのモニタ部分を動作させるバッテリを充電する。
【００２１】
【発明の実施の形態】
図１は、本発明をテレビジョン・インタホン・モニタ装置に適用した場合の好適実施例であり、情報信号伝送線路を介して単一のテレビジョン・インタホン・モニタに給電する装置を示す。以下の説明において、情報信号は、オーディオ信号のみでも、また入口部からテレビジョン・インタホン・モニタに伝搬されたビデオ、オーディオ及び／又はコード信号、並びに、テレビジョン・インタホン・モニタから入口部に伝搬されたオーディオおよび制御信号の組合わせであってもよい。以下の説明中、ビデオ信号は、複合ビデオ信号のビデオ部分、或は複合ビデオ信号又はディジタルビデオ信号である。
【００２２】
図１を参照するに、テレビジョン・インタホン・モニタ３０に給電する装置は、情報信号を送受信するテレビジョン・カメラ７１を含む入口パネル７０と、入口パネル７０から情報信号を受信して入口パネル７０に転送し、テレビジョン・インタホン・モニタ３０に給電すべく調整電流を供給する電流供給手段１４とを備える。またテレビジョン・インタホン・モニタ３０と電流供給手段１４との間に情報信号を伝搬させるとともに、電流供給手段１４からテレビジョン・インタホン・モニタ３０へ調整電流を搬送する伝送線路１６と、電流供給手段１４と入口パネル７０との間に情報信号を伝搬させる伝送線路１６Ａと、ビデオイメージを表示するためのテレビジョン・モニタ回路４４と、モニタを動作させるのに必要なエネルギ源となる充電式バッテリ５０と、情報信号を受信し、発生するインタホン回路４５とを備える。
【００２３】
図２は、単一の入口パネル７０Ａから成るテレビジョン・インタホン・モニタ・システムに本発明を適用したときの好適実施例であり、複数の情報信号伝送線路１６を介して複数の電流供給手段１４によって複数のテレビジョン・インタホン・モニタ３０に給電する装置２を示す。図２に示されるように、各テレビジョン・インタホン・モニタ３０は、テレビジョン・モニタ回路４４と、情報信号を送受信する入口パネル７０Ａと、伝送線路１６Ａと入口パネル７０Ａの回路を接続するため伝送線路１６Ａを介して複数の電流供給手段１４に接続された極を有するセレクタ９０と、セレクタ９０を制御して制御信号又はアラーム信号を発生するコントローラ１００とに給電するため、充電式バッテリ５０に接続されている。
【００２４】
図３は、多数の入口パネル７０Ｂ、１つ又はそれ以上の管理カウンタ８及び／又は１つ又はそれ以上の警備室９を有する大規模な集合アパートのテレビジョン・インタホン・モニタ・システムに本発明を適用したときの別の好適実施例であり、複数の情報伝送線路１６を介して複数のテレビジョン・インタホン・モニタ３０に給電する装置３を示す。
【００２５】
図３を参照するに、複数のテレビジョン・インタホン・モニタ３０に給電するための装置は、情報信号を送受信するための複数の入口パネル７０Ｂと、ビデオ信号を発生する単一又は複数のテレビジョン・カメラ７１と、テレビジョン・インタホン・モニタ３０から或はこれに情報信号を受信或は送信してテレビジョン・インタホン・モニタ３０に調整電流を供給する複数の電流供給手段１４を備える。またテレビジョン・インタホン・モニタ３０と電流供給手段１４との間に情報信号を伝搬させて電流供給手段１４からテレビジョン・インタホン・モニタ３０に調整電流を搬送する複数の伝送線路１６と、各テレビジョン・インタホン・モニタ３０のモニタ４４を動作させるのに必要なエネルギ源をそれぞれ提供する複数の充電式バッテリ５０を備える。さらに情報信号を電流供給手段と入口ユニット１４との間に伝搬させる複数の情報伝送線路１６Ａと、複数の入口パネル７０Ｂ、守衛カウンタ８、警備室９および入口ユニット４の間に情報信号を伝搬させる複数の情報伝送線路１６Ｂと、伝送線路１６Ａのいずれかを伝送線路１６Ｂのいずれかに接続するセレクタ（回路）９１と、セレクタ９１を制御して制御およびアラームコードを発生する制御回路１０１とを備える。制御回路１０１は、テレビジョン・カメラ回路若しくは機能の調節およびセットアップ或はカメラ位置調節のためにテレビジョン・カメラを制御する制御指令をも発生する。
【００２６】
各伝送線路１６は、電流供給手段１４、テレビジョン・インタホン・モニタ３０と伝送線路１６Ａの数に対応しており、情報伝送線路１６Ａの各々は、１端において電流供給手段１４に接続されており、他端において入口ユニット部に位置するセレクタ回路９１の極に接続されている。
【００２７】
各情報伝送線路１６Ｂは、入口パネル７０Ｂ、守衛カウンタ８および警備室９の数に対応する。図３の各情報伝送線路１６Ｂは、１端において入口ユニット７０Ｂ、守衛カウンタ８および警備室９に接続されており、その他端においてセレクタ回路９１の極に接続されている。図１および図２に示される電流供給手段１４は、図１の入口パネル７０又は図２の７０Ａに組込む或は図３のセレクタ９１と一体形成する或は入口ユニットに配置することができ、この場合、情報伝送線路１６Ａは、入口パネル７０又は７０Ａの内側接続線又は入口ユニット４の内側線となる。
【００２８】
図８に示される電流供給手段１４は、電力入力端子１２を介して非調整ＤＣ電源又は整流ＡＣ電源から供給される。また、電流供給手段１４は、公知の電流調整器１３を採用しており、インタホン回路４５の消費電流に図１乃至図３に示される充電式バッテリ５０を充電するための充電電流を加算したものに略等しい調整電流をテレビジョン・インタホン・モニタ３０に供給する。バッテリ充電用の電流は図８に示される電流調節器１３Ａを介していかなる算出値に設定してもよく、従って充電式バッテリはモニタを事前算定時間にわたって動作させるのに十分なだけ充電される。寸法および電力容量の異なるニッケル−カドミウム電池などの充電式バッテリ５０を使用すればよく、これに代えて他のいかなるタイプおよび容量の充電式バッテリを使用してもよい。バッテリ５０は、テレビジョン・インタホン・モニタのハウジング内或はアパート部に設置し、別個の電線を介してテレビジョン・インタホン・モニタ３０に接続すればよい。充電式バッテリは、電流供給手段１４への電力が遮断されたときのテレビジョン・インタホン・モニタの給電にも使用される。バッテリ容量および充電電流は、動作時間およびモニタの電力消費を演算することによって選択される。例えば、モニタが１２Ｖで動作して５００ｍＡを消費する場合、容量５００ｍＡ／ｈｒの１２Ｖバッテリはモニタを１時間動作させることができる。モニタを毎回１分間で１日に６０回動作させた場合、合計で５００ｍＡ／ｈｒを消費する。従って、バッテリを２４時間充電する場合、バッテリの充電に要する充電電流は５００ｍＡ／２４、即ち２１ｍＡ以下である。
【００２９】
図４および図５に示されるように、伝送線路１６は、ＤＣと信号とを分離するためのＤＣ／信号分離注入器３１に端子１７を介して接続されている。分離注入器３１は、信号を結合し、信号処理回路からのＤＣを遮断する公知の結合コンデンサと、ＤＣから信号を除去する公知のＲＦフィルタとで構成される。この分離注入器３１は、ＤＣから情報信号を検索する信号変換器と、ＤＣから情報信号を除去する公知のＲＦトラップとで構成してもよい。フィルタを通過したＤＣは、分離注入器３１から電流コントローラ５１に供給される。電流コントローラ５１は、バッテリ極性がバッテリ端子５３に逆接続された場合、或は、バッテリ５０が切断された際にバッテリ充電電流に入れ替わるダミーロード（疑似負荷）ＤＬを含む。
【００３０】
バッテリの逆極性接続又はバッテリの切断があった場合、バッテリ充電電流がなくなり、テレビジョン・インタホン・モニタ３０に供給される調整電流によってインタホン回路４５への過電流供給が起こり、インタホン回路４５を損傷することもある。このような損傷を避けるため、図６および図７に示される電流コントローラ５１は、バッテリ制御回路５２から“充電なし”信号の供給を受けて充電電流に等しい電流を放出すべくダミーロードを接続する。この結果、インタホン回路４５への適正な制御或はスタンバイ電流の供給が確保される。
【００３１】
電流コントローラ５１は、ダミーロード抵抗ＤＬを接続するためのスイッチング・トランジスタを採用してもよく、この場合のトランジスタ切換え信号はバッテリコントローラ（制御回路）５２から供給される高−低信号である。図６に示されるように、バッテリコントローラ５２は、バッテリ電圧供給を検査するための放電検査回路５５と、バッテリの極性接続を検査するための逆極性検査回路５４と、バッテリ極性が逆接続された際に充電電流を遮断するための充電遮断スイッチＳＷ１と、バッテリが放電若しくは切断された際に情報信号の伝搬への妨害を阻止するためモニタからの出力電力を遮断する出力スイッチＳＷ２と、電流を指向させる２個のダイオードＤ１、Ｄ２と、充電電流制限抵抗Ｒ１と、過電圧保護のためのツェナーダイオードＤ３とで構成される。
【００３２】
放電検査回路５５および逆極性検査回路５４は、充電線路５６およびバッテリ端子５３から基準の供給を受けて、バッテリ５０が切断或は放電した際に出力スイッチＳＷ２に“遮断”信号を発生してモニタ４４への出力電流を遮断して充電線路５６を流れるランダム電流ドレーン（random current drain）を除去し、もって放電状態時、逆極性バッテリ接続時又はバッテリ切断時に非安定電流ドレーンによる情報信号流への妨害を防止する。また、逆接続されたバッテリは、モニタ回路４４を損傷しかねない誤極性出力を供給しないようなされている。逆極性検査回路５４は、逆極性接続があった場合にバッテリ５０の損傷を防止するため充電スイッチＳＷ１を切る“逆極性”信号をも発生する。ダイオードＤ１は、電流供給手段１４のスイッチが切られた際にバッテリからモニタ回路４４への逆の不要電流を防止し、抵抗Ｒ１は、バッテリへの充電電流を制限し、これに対してダイオードＤ２／Ｄ３は、過電圧およびサージからバッテリを守る。しかし、バッテリ極性接続、電流方向、電流の流れの保護、電流サージおよび過電圧保護には、他の多くの公知の装置および部材の選択肢が存在する。
【００３３】
放電検査回路５５および逆極性検査回路５４には、レベル検出のため公知の差動或は比較回路を採用してもよく、充電遮断スイッチＳＷ１および出力遮断スイッチＳＷ２には、スイッチングトランジスタ、フォトカプラ、リレー或はその他の公知の回路遮断器を採用すればよい。図６に示されるバッテリ５０は、出力遮断スイッチＳＷ２を介して電流を出力端子５８に供給する。図４に示されるように、出力端子５８は、モニタに給電するためモニタ回路４４に、また、ＳＷ３の極に接続されている。ＳＷ３は、インタホン回路４５に供給される制御電流によって制御される。従ってＳＷ３は、制御電流が存在しないときに電力出力端子５８に制御電流線路出力５７からインタホン回路４５に電力を供給する線路を切換え接続する。
【００３４】
図５は、インタホン回路４５がバッテリコントローラ５２の電力出力端子５８Ａを介して充電済みバッテリ５０からスタンバイ電流の供給を受ける好適実施例によるテレビジョン・インタホン・モニタ３０Ａをブロック図で示す。この構成では、図４に示されるＳＷ３は使用されず、ビデオ・インタホン・モニタ３０Ａは、調整電流がＳＷ３を使用せずに切られたとき、充電済みバッテリ５０によって給電される。充電式バッテリが断路、逆接続された或は放電したときに少なくともインタホン回路４５の適正動作を確保するため、図７に示されるバッテリ制御回路５２Ａは、バッテリ端子５３からの電流をスタンバイ電流供給端子５８Ａに向ける追加のダイオードＤ４を含む。ダイオードＤ４は、バッテリが逆接続された或は放電したときの逆極性電流を防止する。バッテリ制御回路５２Ａの他の全ての回路は、図７に示される切換え機能を備える充電遮断スイッチＳＷ１Ａを除き、図６のバッテリ制御回路５２の回路と同等のものである。バッテリ５０が切断或は逆接続されたとき、充電遮断スイッチＳＷ１Ａは、インタホン回路４５を動作させるスタンバイ電流に等しい制御電流を供給するため線路５７Ａを介して出力端子５８Ａを接続すべくトリップして切り替わる。ここでも、バッテリ極性接続、電流方向、電流の流れ及び電流サージの保護並びに過電圧保護のための他の多くの装置および部材の選択肢が考えられる。
【００３５】
機械式セレクタ・スイッチとして図２に示されるセレクタ９０は、リレー或は公知のＩＣマルチプレクサ・スイッチ或は他の公知の電子式スイッチ装置で構成してもよい。図３に示されるセレクタ回路９１は、複数のテレビジョン・インタホン・モニタ３０および入口パネル７０Ｂ、守衛カウンタ８、警備室９のいずれか又は全部との間に伝搬された情報信号を結ぶため複数の情報伝送線路１６Ａおよび伝送線路１６Ｂに対応する複数のスイッチで構成される。
【００３６】
この結果、情報伝送線路１６を介して伝搬された１個又はそれ以上の情報信号を選択してセレクタ（選択回路）９１から情報伝送線路１６Ｂのいずれへも供給することが可能となる。図３のセレクタ９１は、機械セレクタ・スイッチとして示されているが、どの出力に対する入力とするかを自由に選択できる多数の出力を備える電子マルチプレクサ又はマトリックス・スイッチなどの公知のＩＣであってもよい。
【００３７】
図１、図２および図３に示される入口パネル７０、７０Ａ、７０Ｂのコントローラ１００および入口ユニット４のコントローラ１０１並びに図３に示される守衛カウンタ８及び／又は警備カウンタ９のコントローラ１０２は、基本的に同一であり、図９に示されている。しかしながら、図２の入口パネル７０Ａの図９に示されるコントローラ１００及び図３の入口パネル７０Ｂのコントローラ１００は、図２のセレクタ９０を介して或は図３のセレクタ９１の単一のセレクタ部分群を介して単一テレビジョン・インタホン・モニタ３０を接続するための選択信号を発生する。これに対し、入口ユニット４のコントローラ１０１および図３の守衛カウンタ８と警備カウンタ９のコントローラ１０２は、セレクタ９１を介して複数の入口パネル７０Ｂ、守衛カウンタ８および警備室９に複数のテレビジョン・インタホン・モニタ３０を接続するための同時選択信号を発生することができる。図１のコントローラ１００は、入口パネル７０がセレクタを含まないので、選択信号を提供しない。
【００３８】
図２のコントローラ１００および図３のコントローラ１０１は、テレビジョン・インタホン・システムを動作させるセレクタ選択信号および制御又はアラーム信号を発生する公知のマイクロプロセッサ又はディジタルＩＣを使用するマイクロプロセッサ又はディジタル回路を採用する。また、コントローラ１００又はコントローラ１０１は、図２および図３のテレビジョン・インタホン・システムを動作させるセレクタ選択信号および制御又はアラーム信号を発生するようプログラムされたパーソナル・コンピュータによって動作する公知のマイクロプロセッサを使用してもよい。図１、図２および図３のコントローラ１００又は図３のコントローラ１０１によって生成された制御およびアラーム信号は、リンガー（ringer）の起動、モニタへの電源投入、ライトのオン／オフ切換え或はエレベータの所定フロアへの呼び寄せなどの符号化指令である。同様に、図３の伝送線路１６Ｂを介してセレクタを制御するためのコードを発生させてもよい。この制御コードは、アパート番号を組合わせてもよく、図２のセレクタ９０又は図３のセレクタ９１を動作させる或はアドレス指定するための入口、フロアおよびアパート番号の組合わせを使用してもよい。図２のコントローラ１００および図３のコントローラ１００、１０１又は１０２によって生成されたセレクタ選択信号は、セレクタを動作させるためセレクタ９０又は９１に直接供給され、これに対してテレビジョン・インタホン・システムを動作させるための制御指令コードは、図９の線路１６Ｄ又は図３の線路１６Ｂを介して伝送線路１６に注入される。
【００３９】
図４に示されるように、テレビジョン・インタホン・モニタ３０は、ドアロックの解放若しくはエレベータの所定フロアへの呼び寄せ或はライトのオン／オフ切換えなどの、コントローラ１００又はコントローラ１０１によって生成される指令コードに類似する制御コード及び／又は図２のセレクタ９０又は図３のセレクタ９１を動作させるためのコードを設定するためのコード設定回路３４（図４参照）を含む。図４のアラーム接点３５は、盗難警報機などの周辺警報機器を介して自動的に或は手動で活性化された際にアラーム指令コードを設定する。コード発生器３３は、電話網に用いる公知のデュアルトーン（２階調）周波数を発生するデュアルトーン・ダイヤラ（dual-tone dialer）ＩＣで構成されており、デュアルトーン周波数で構成される符号化制御信号をオーディオ信号プロセッサ／ミキサ３２に供給してオーディオ信号と混合し、その信号をＤＣ／信号分離注入器３１を介して伝送線路１６に注入する。ＤＣ／信号分離注入器３１は、公知の結合コンデンサ若しくは信号変換器を介して混合オーディオ信号を注入する。伝送線路１６への混合信号の給送に公知のトランジスタ／バッファ増幅回路を使用してもよい。
【００４０】
コード発生器３３は、選択コードに相当するディジタルパルス信号を送信するディジタル信号発生器で構成してもよく、この場合、オーディオ信号プロセッサ／ミキサ３２は、オーディオ周波帯域幅内のパルス信号を発生してそのディジタルパルスをオーディオ信号と混合し、ＤＣ／信号分離注入器３１を介して混合オーディオ信号を伝送線路１６に注入する。
【００４１】
図９に示されるように、入口パネル７０Ａは、リンガ（アラーム）の起動或はドアロックの開放或はエレベータの所定フロアへの呼寄せ或はライトのＯＮ／ＯＦＦ切換えなどのための、図４のコード設定回路３４によって生成される指令コードに類似する制御コードを設定するコード設定回路８２と、盗難警報機などの周辺警報機器を介して自動的に或は手動で活性化するアラーム指令コードを設定するアラーム接点８３と、電話網に用いる公知のデュアルトーン周波数を発生するデュアルトーンダイヤラＩＣで構成されるコード信号発生器８１とを含む。単一或は１群のデュアルトーン周波数で構成される符号化制御信号は、これをオーディオ信号と混合して図８に示される電流供給手段１４の情報信号分離注入器１１を介して伝送線路１６に注入するためコード信号発生器からオーディオ信号プロセッサ／ミキサ７８に供給される。情報信号分離注入器１１は、公知の結合コンデンサ又は信号変換器を介して混合オーディオ信号を注入する。混合信号を伝送線路１６中に供給するのに公知のトランジスタ／バッファ増幅回路を使用してもよい。
【００４２】
図９に示されるコード発生器８１は、選択コードに相当するディジタルパルス信号を送信するためのディジタルパルス発生器で構成すればよく、この場合、オーディオ信号プロセッサ／ミキサ７８は、オーディオ周波数帯域幅内のパルス信号を発生してそのパルス信号をオーディオ信号と混合し、図８に示される電流供給手段１４の情報信号分離注入器１１を介してその混合オーディオ信号を伝送線路１６に注入する。
【００４３】
図４に示されるように、テレビジョン・インタホン・モニタ３０は、情報信号からオーディオ信号を抽出するオーディオ信号抽出器／プロセッサ３８と、オーディオ信号抽出器／プロセッサ３８から供給された制御コードを復号するコードデコーダ４１と、リンガー呼出を駆動する或はライトをＯＮ／ＯＦＦする或はアラーム予告器を起動するため等の機能ドライバ４２とを含む。コードデコーダ４１は、電話網で使用する公知のデュアルトーン周波数を復号するデュアルトーン・デコーダＩＣで構成され、機能ドライバ４２に復号制御信号を供給する。機能ドライバ４２は、トランジスタ又はマルチプレクサＩＣ或はフォトカプラ若しくは他の公知の切換え／駆動デバイスなどの電子切換え／駆動装置で構成される。
【００４４】
オーディオ信号抽出器／プロセッサ３８は、情報信号線路１６Ｃから供給される情報信号から低周波オーディオ信号を抽出するため公知の低域フィルタを用いて情報信号からオーディオ信号を抽出する。抽出されたオーディオ信号は、スピーカアンプ３９およびスピーカ４０にも供給される。マイク３７、マイクアンプ３６、スピーカ４０およびスピーカアンプ３９は、受信したオーディオ信号およびマイクロホン・オーディオ信号を増幅する公知のオーディオ部品を使用する。マイクアンプ３６は、オーディオ信号プロセッサ／ミキサにマイク信号を供給し、情報信号線路１６Ｃを介して混合オーディオおよびマイク信号を情報信号分離／注入器に供給し、混合オーディオ信号およびマイク信号を伝送線路１６に注入する。
【００４５】
図４に示されるコード発生器３３又は図９に示されるコード発生器８１によって生成された符号化制御信号がオーディオ周波数レンジのディジタル信号又はパルス信号である場合、図４に示されるコードデコーダ４１又は図９に示されるコードデコーダ７３は、ディジタル信号又はパルス信号を抽出する公知の帯域フィルタおよび符号化信号を復号するためのディジタル・デコーダを採用する。
【００４６】
以上から明らかなように、図９に示される入口パネル７０Ａによって生成される双方向オーディオ信号およびテレビジョン・インタホン・モニタ３０によって生成されたオーディオ信号は、テレビジョン・インタホン・モニタ３０のインタホン回路４５を動作させるための調整電流と、モニタのランダム起動によって発生する電流サージ及び／又はランダム電流ドレーンによって情報信号を妨害することなしにテレビジョン・インタホン・モニタ３０のモニタ４４を動作させる充電式バッテリ５０を充電するための充電電流を搬送する伝送線路１６を介してテレビジョン・インタホン入口パネルとテレビジョン・インタホン・モニタとの間を双方向制御信号およびアラーム信号と共に伝搬する。また、テレビジョン・インタホン・モニタ自体は、調整電流の供給がカットされたときは関連バッテリによって動作する。
【００４７】
図９に示されるように、公知のテレビジョン・カメラ７１は、オーディオ信号プロセッサ／ミキサ７２に複合ビデオ信号を供給する。オーディオ信号プロセッサ／ミキサは、複合ビデオ信号を搬送周波数に変調する公知の周波数変調ＩＣを使用する。この搬送周波数は、変調されたビデオ信号の低周波レンジをオーディオ信号の高周波レンジより上に保持し、オーディオ信号を妨害することなくビデオ信号を、オーディオ信号に用いる共通伝送線路１６Ｄに注入することを許容する。好適実施例において、オーディオ信号プロセッサ／ミキサは、変調ビデオ信号を差動入力に変換して、セレクタ９０および電流供給手段１４を介して伝送線路１６Ｄおよび情報伝送線路１６に注入する公知の差動入力変換ＩＣを更に含んでいてもよい。
【００４８】
図４に示されるように、ビデオ信号抽出器／復調器４３は、線路１６Ｃから公知の帯域フィルタを用いて周波数変調ビデオ信号又は差動入力を抽出し、公知のＩＣおよびその他の周辺部品を用いて抽出ビデオ信号を復調してモニタ回路に復調複合ビデオ信号を供給してモニタ４４のスクリーンに入口の来訪者を表示する。
【００４９】
また、上記の説明から明らかなように、ビデオ信号、オーディオ信号、制御信号およびアラーム信号で構成される情報信号は、入口パネル及び／又は入口ユニットから共通伝送線路を介してテレビジョン・インタホン・モニタに送信される。
【００５０】
図３に示されるように、守衛カウンタ８のコントローラ１０２および警備室９のコントローラ１０２は、コントローラ１０１およびセレクタ９１から制御データを受信し、コントローラ１０１およびセレクタ９１にオーバライド制御およびセレクタ選択信号を送信できる。セレクタ９１からコントローラ１０１又は１０２に供給された信号は、警備担当および管理人に来訪者、呼出人およびアラームの情報および身分を知らせるスイッチ入れ又は切換えデータを含む。
【００５１】
守衛カウンタ８および警備室９のインタホン回路６は、図４のインタホン回路４５と同一であり、モニタ回路５は、図４のモニタ回路４４或はその他のテレビジョン・モニタ回路に類似するものでよい。従って、守衛カウンタ８或は警備室９は、オーディオ、制御又はアラーム信号を受信し、これらの信号を個々のテレビジョン・インタホン・モニタ３０に送信でき、また、入口パネル７０Ｂのいずれかからオーディオ、制御又はアラーム信号並びにビデオ信号を受信し、入口パネル７０Ｂのいずれかにオーディオ、制御及び／又はアラーム信号を送信することができる。このように構成することにより、管理又は警備員が各テナント若しくは来訪者と通信し、緊急事態の場合に来訪者の呼出しに割り込みすることができる。
【００５２】
図１、２および３に示される共通伝送線路を介してテレビジョン・インタホン・モニタに給電する装置において、テレビジョン・インタホン・モニタは、任意の相互組合わせによる簡単な装置により、各々の対応する伝送線路を介して給電され、入口パネル又は入口ユニットに、或は、管理若しくは警備員に接続される。この結果、１つ、２つ又は任意の数の入口パネルを、テレビジョン・インタホン・モニタを接続する伝送線路を経由し、電流供給手段を介して任意の数のテレビジョン・インタホン・モニタに接続することが可能となる。
【図面の簡単な説明】
【図１】図１は、本発明の好適実施例による情報伝送線路を介してテレビジョン・インタホン・モニタに給電する装置のブロック図である。
【図２】図２は、本発明の好適実施例による対応の情報伝送線路を介して多数のテレビジョン・インタホン・モニタに給電する装置のブロック図である。
【図３】図３は、本発明の好適実施例による対応の情報伝送線路を介して多数のテレビジョン・インタホン・モニタに給電する装置の別のブロック図である。
【図４】図４は、図１、２および３に示される装置の好適実施例のテレビジョン・インタホン・モニタの電気回路ブロック図である。
【図５】図５は、図１、２および３に示される装置の好適実施例のテレビジョン・インタホン・モニタの別の電気回路ブロック図である。
【図６】図６は、図４に示される装置の好適実施例の電流およびバッテリ制御回路ブロック図である。
【図７】図７は、図５に示される装置の好適実施例の別の電流およびバッテリ制御回路ブロック図である。
【図８】図８は、図１、２および３に示される装置の好適実施例の入口ユニットの電気回路ブロック図である。
【図９】図９は、図３に示される装置の好適実施例の入口ユニットの電気回路ブロック図である。
【符号の説明】
１、２、３    給電装置
８            守衛カウンタ
９            警備カウンタ
１４          調整電流供給手段
１６、１６Ａ、１６Ｂ    伝送線路
３０          テレビジョン・インタホン・モニタ
４４          テレビジョン・モニタ回路
４５          インタホン回路
５０          充電式バッテリ
７０、７０Ａ、７０Ｂ    テレビジョン・インタホン入口パネル
７１          テレビジョン・カメラ
９０、９１    セレクタ
１００、１０１コントローラ
【図１】
0004443641.tif 000002
【図２】
0004443641.tif 000003
【図３】
0004443641.tif 000004
【図４】
0004443641.tif 000005
【図５】
0004443641.tif 000006
【図６】
0004443641.tif 000007
【図７】
0004443641.tif 000008
【図８】
0004443641.tif 000009
【図９】
0004443641.tif 000010